(57)【要約】      （修正有）【課題】着用感や美観を損なうことなく、バストを安定的に保持し、ずり上がりや横移動を防ぐことができるハーフトップを提供する。【解決手段】着用者の胸部を被覆する前身頃１と、前身頃の両端部から背中にかけて被覆する後身頃により胸周りを被覆するように筒状に縫合または連続して編成され、前身頃の裏側にはパッド７を挿入保持可能な袋状に形成されたパッド受け部６を設けたハーフトップであって、パッド受け部は外上辺６３が前身頃の袖刳りに、下辺６５が胴刳りに、および脇部６４が前身頃と後身頃の接合部に縫着され、その他の部分においては、前身頃に縫着されず遊離している。【選択図】図３
0003187816.tif 000002
【実用新案登録請求の範囲】
【請求項１】
着用者の胸部を被覆する前身頃と、該前身頃の両端部から背中にかけて被覆する後身頃により胸周りを被覆するように筒状に縫合または連続して編成され、前身頃の裏側にはバストパッドを挿入保持可能な袋状に形成されたバストパッド受け部を設けたハーフトップであって、前身頃とバストパッド受け部は前身頃の袖刳り、胴刳り、および脇部において縫着され、その他の部分においては、縫着されず遊離していることを特徴とするハーフトップ。
【請求項２】
前記バストパッド受け部の中央には該バストパッド受け部を左右に分割する縫合部が形成されていることを特徴とする請求項１に記載のハーフトップ。
【考案の詳細な説明】
【技術分野】
【０００１】
本考案は、女性用のハーフトップに関するものである。
【背景技術】
【０００２】
従来、スポーツ用ブラジャーにおいては、一般下着用のブラジャーの形状と同様に、胸元を大きく露出させたり、カップ部の形状やバスト縫合部分を露出させたものなどがあるが、これらの着用に抵抗を感じる女性も多い。
【０００３】
また、スポーツ用ブラジャーは、身体の動きに対し、ブラジャー本体ならびにカップ部のずり上がりや横移動、まくれ、肩紐のずれ等が課題とされていた。
【０００４】
そこで、これら露出やずれを抑制させるため、乳房部分を含む胸元を被覆一体化させたハーフトップが好まれる傾向にあり、バストの保持対策として自在にバストパッドを着脱できる挿入バストパッド付きハーフトップが提供されている。
【０００５】
例えば、一連の環状生地によって形成された第１生地と第２生地を重ねて互いの上縁部同士を縫合することにより乳房部分を含む胸元を被覆一体化させ、胸元の露出を抑えるとともに、第２生地の前身頃部表側に縫合された裏地によってバストパッド装着用の袋部が形成されることにより、第１生地にカップ縫合線が露出せず、かつ自在にバストパッドを着脱できる挿入バストパッド付きハーフトップがある。(特許文献1)
【０００６】
しかしながら、このものは、第１生地と第２生地の上縁部同士が縫合されているため、従来のスポーツブラジャー同様、肩の動きに対して肩紐が引張すると、外側の第１生地が追従し上方方向へ引張し、それに追従して第２生地も上方方向へ引張し、結果、バスト部分の身頃やバストパッドがずれ上がるおそれがあった。また、バストの動揺に対して、第２生地が横方向へ引張すると、それに追従して第１生地が横方向へ引張し、さらに肩紐も横方向へ引張し、結果、肩紐がずれるおそれがあった。
【０００７】
さらに、このハーフトップは、第１生地と第２生地を上縁部と下部において縫合してバストパッド装着用の袋部を形成されているが、袋部がバストパッドに応じ、二つに分割して形成されておらず、よって、バストの動揺に対し、バストパッドが横ずれして、バスト中央部分を跨ぎ移動するおそれがあった。
【先行技術文献】
【特許文献】
【０００８】
【特許文献１】特開２００４−２０４３９２
【考案の概要】
【考案が解決しようとする課題】
【０００９】
そこで、本考案は、着用感や美観を損なうことなく、バストを安定的に保持し、ずり上がりや横移動を防ぐことができ、自在にバストパッドを着脱できる挿入バストパッド付きハーフトップを提供することをその課題とするものである。
【課題を解決するための手段】
【００１０】
本考案は、上記課題を解決するものであり、着用者の胸部を被覆する前身頃と、該前身頃の両端部から背中にかけて被覆する後身頃により胸周りを被覆するように筒状に縫合または連続して編成され、一対の肩紐を備えたハーフトップであって、前記前身頃の裏側には、バストパッドを挿入保持可能な袋状に形成されたバストパッド受け部を設け、前身頃とバストパッド受け部は袖刳り、胴刳り、および脇部において縫着され、その他の部分においては、縫着されず、バストパッド受け部が前身頃から遊離していることを特徴とするハーフトップである。
【００１１】
さらに本考案は、前記バストパッド受け部の中央に該バストパッド受け部を左右に分割する縫合部が形成されていることを特徴とするハーフトップである。
【考案の効果】
【００１２】
本考案のハーフトップは、前身頃の裏側にバストパッドを保持するためのバストパッド受け部を設けることにより、少なくとも胸部を被覆する部分を前身頃と袋状に形成されたバストパッド受け部の二層とし、バストパッド受け部を前身頃の袖刳り、脇下、胴刳りにおいてのみ縫着し、胸元やその他の部分において縫着しないことにより
、パッド受け部が前身頃や肩紐の動きに引張されることなく、ずれ上がりを防ぐことができる。また、バストの動揺に対し、袋状に形成されたバストパッド受け部が独自に横移動に適応するが、前身頃および肩紐が引張されることなく、肩紐のずれを防ぐことができる。また、前身頃にパッド受け部の縫合線が露出せず、美観に優れたものとすることができる。
【００１３】
さらに、本考案のハーフトップは、バストパッド受け部の中央に該バストパッド受け部を左右に分割する縫合部が形成されているため、バストパッドの横移動を防ぐことができる。
【図面の簡単な説明】
【００１４】
【図１】本考案に係るハーフトップの正面図。
【図２】本考案に係るハーフトップの背面図。
【図３】本考案に係るハーフトップの前身頃を裏側からみた図。
【考案を実施するための形態】
【００１５】
以下、本考案のハーフトップの一実施態様を、図面に基づいて具体的に説明する。なお、本考案はこれら実施態様に何ら制約されるものではない。
【００１６】
図に示すように、本考案にかかるハーフトップは、着用者の胸部を被覆する前身頃１と、前身頃１の両端部から背中にかけて被覆する後身頃２により胸周りを被覆するように筒状に連続して編成されている。前身頃１と後身頃２の下部には、マイクロテープ、コメットゴム、織ゴム等の弾性部材からなるアンダーベルト４が連続して設けられており、前身頃１の上部から後身頃３にかけて一対の肩紐３が設けられている。また、本考案にかかるハーフトップの首刳りには伸縮性を有するテープ５ａが、また、袖刳りには伸縮性を有するテープ５ｂがそれぞれ設けられている。
【００１７】
図３に示すように、前身頃１の裏側、すなわち肌に接する側には、ウレタンフォームや不織布等を素材としたバストパッド７を保持可能なバストパッド受け部６が設けられている。バストパッド受け部６は、バストパット７を挿入するための開口６１が設けられており、かかる開口６１よりバストパッド７を挿入し、保持可能な袋状に形成されている。よって、バストパット７を挿入するための開口６１は、前身頃１に縫着されていないため、前身頃１に縫着線が露出しない。バストパッド受け部６は、外上辺６３が前見頃１の袖刳りに縫着され、脇辺６４が前身頃１と後身頃２の接合部２１に縫着され、下辺６５が前身頃１の胴刳りに縫着されているが、内上辺６２およびその他の部分においては、前身頃１に縫着されず、遊離したポケット状となっている。すなわち、バストパッド受け部６は前身頃に対し、袖刳り、脇下、胴刳りにおいてのみ縫着し、胸元やその他の部分を前身頃や肩紐３に対して縫着していないため、バストパッド受け部６が前身頃や肩紐３の動きに引張されることなく、ずれ上がりを防ぐことができる。また、バストの動揺に対して、前身頃や肩紐３に引張の影響を与えず、肩紐のずれを防ぐことができる。
【００１８】
また、バストパッド受け部６の中央には、バストパッド受け部６を左右に分割する縫合部６６が形成されている。かかる縫合部６６により、バストパッド受け部６の内部は左右に二分割されており、左右のバストパッド７をそれぞれ挿入することができる。このように、バストパッド受け部６の中央に縫合部６６が形成されることにより、バストの動揺に対してバストパッド７が横移動することを防ぐことができ、バストを安定的に保持できる。また、縫合部６６は前身頃１に縫着されていないため、前身頃１に縫着線が露出しない。
【００１９】
本考案のハーフトップの素材として、少なくとも胸部を被覆する前身頃１とバストパッド受け部６を構成する生地は、いずれも通気性を有する伸縮性編地により構成することが好ましく、その材質の一例としては、弾性繊維を含むラッセル編物、トリコット編物、ストレッチレース、パワーネット、サテンネット、ベア天竺等の伸縮性を有する編地を挙げることができ、このような編地を好適に使用することで、伸縮性や肌ざわりもよく、着用感の優れたハーフトップとすることができる。
【００２０】
また、本考案のハーフトップでは、バストパッド７をパッド受け部６に自在に挿入するタイプとしたため、バストパッド部７の形状、大きさなどの好みに応じ選択できるものである。
【００２１】
また、本考案のハーフトップでは、前身頃にパッド受け部の縫合線（例えばパッド挿入口や分割する縫合線など）が露出せず、美観に優れたハーフトップとすることができる。
【符号の説明】
【００２２】
１……前身頃
２……後身頃
３……肩紐
４……アンダーベルト
５ａ……テープ
５ｂ……テープ
６……バストパッド受け部
７……バストパッド
２１……接合部
２２……開口部
６１……開口
６２……内上辺
６３……外上辺
６４……脇辺
６５……下辺
６６……縫合部
【図１】
0003187816.tif 000003
【図２】
0003187816.tif 000004
【図３】
0003187816.tif 000005